(57)【要約】      （修正有）【課題】簡素な構造で製造でき、子供の悪戯、地震による揺れ等による不用意な開放が防止でき、既存引戸への後付も容易に行うことを可能とする家具用扉のロック装置を提供する。【解決手段】引戸１５を貫通して取り付けられる外筒部２９と、外筒部２９の内方で軸線４７に沿う方向及び軸線回りで可動自在となって戸枠部、または、召し合わせ部２７における他の引戸２５に穿設される係合穴４９に対して挿脱自在な突出杆３１と、突出杆３１と一体に形成され引戸１５の表面５７に露出される操作部３３と、突出杆３１を係合穴４９から抜脱する方向に付勢する付勢部材３５と、操作部３３の外周に半径方向に延在して設けられるガイドピン３７と、外筒部２９の内周に設けられて、ガイドピン３７に係合して突出杆３１を係合穴４９に係合させる位置と離脱させる位置とに位置規制するカム溝３９と、を設けた。【選択図】図６
0003214730.tif 000002
【実用新案登録請求の範囲】
【請求項１】
引戸を厚み方向に貫通して前記引戸に取り付けられる外筒部（２９）と、
前記外筒部（２９）の内方で保持され、軸線に沿う方向で可動自在及び軸線回りで可動自在となって、前記引戸が厚み方向で対向する戸枠部の端縁部分、または、召し合わせ部において前記引戸が対向する他の引戸の戸尻側となる端縁部分、に当接し、該端縁部分に対して進退自在な突出杆（３１）と、
前記突出杆（３１）と同軸で一体に形成され前記引戸の表面に露出される円柱形状の操作部（３３）と、
前記外筒部（２９）と前記操作部（３３）との間に配設され前記突出杆（３１）を前記端縁部分から進退する方向に付勢する付勢部材（３５）と、
前記操作部（３３）の外周の対向位置に半径方向に延在して設けられる一対のガイドピン（３７，３７）と、
前記外筒部（２９）の対向位置に設けられて、前記突出杆（３１）を進退させる方向の進退部（６１）、前記突出杆（３１）を回転させる方向の回転部（６３）、及び回転部の進退部と反対側に進退部と平行に形成されたロック部（６５）が連続し、進退部（６１）の方がロック部（６５）よりも軸方向に長い略コ字状に形成された一対のカム溝（３９，３９）であって、前記ガイドピン（３７，３７）がロック部（６５）の先端部に係合して前記突出杆（３１）を前記端縁部分に当接させる突出位置と前記ガイドピン（３７，３７）が進退部（６１）の先端部に係合して前記突出杆（３１）を前記端縁部分から離脱した収納位置とに位置規制する一対のカム溝（３９，３９）と、
を具備することを特徴とする家具用扉のロック装置。
【請求項２】
請求項１記載の家具用ロック装置であって、
前記端縁部分は、引戸の戸尻側に形成された係合穴であり、該係合穴に前記突出杆の先端部が挿入係合自在とされていることを特徴とする家具用扉のロック装置。
【請求項３】
開き戸を厚み方向に貫通して前記開き戸に取り付けられる外筒部と、
前記開き戸の戸枠部に設けられる係合部と、
前記外筒部の内方で保持され、軸線に沿う方向で可動自在及び軸線回りで可動自在となって、外筒部の開口から進退自在な突出杆と、
前記突出杆の前記外筒部から突出する底部に設けられて、突出杆の外周から突出する端部が前記係合部に対して係合または係合解除自在とされたロック片と、
前記突出杆と同軸で一体に形成され前記開き戸の表面に露出される円柱形状の操作部と、
前記外筒部と前記操作部との間に配設され前記突出杆を前記外筒部の内方に後退させる方向に付勢する付勢部材と、
前記操作部の外周の対向位置に半径方向に延在して設けられる一対のガイドピンと、
前記外筒部の対向位置に設けられて、前記突出杆を進退させる方向の進退部、前記突出杆を回転させる方向の回転部、及び回転部の進退部と反対側に進退部と平行に形成されたロック部が連続し、進退部の方がロック部よりも軸方向に長い略コ字状に形成された一対のカム溝であって、前記ガイドピンがロック部の先端部に係合して前記ロック片を前記係合部に係合させる位置と前記ガイドピンが進退部の先端部に係合して前記ロック片が前記係合部から離脱した位置とに位置規制する一対のカム溝と、
を具備することを特徴とする家具用扉のロック装置。
【請求項４】
請求項３記載の家具用ロック装置であって、
前記係合部が、
前記開き戸の戸枠部に凹設される係合溝よりなることを特徴とする家具用扉のロック装置。
【考案の詳細な説明】
【技術分野】
【０００１】
本考案は、家具用扉のロック装置に関する。
【背景技術】
【０００２】
引戸が開かないようにロックする特許文献１，２，３に開示の引戸用のロック装置が提案されている。特許文献１に開示の引戸用係止錠は、錠筐内へ引戸の係止部材を出没自在に軸着し且つ錠筐内の一側に、上記係止部材の一側に圧接してこれの妄動を防止する止め部材の弾性体を設けてなる。この引戸用係止錠によれば、引戸の開きを阻止する係止部材を揺動によってワンタッチで出没させることができるので、施錠或いは解錠を極めて簡単に行うことができる。
【０００３】
特許文献２に開示のアウトセット引戸錠は、引戸の所定貫通穴に装着可能な、第１のケース部材と第２のケース部材とからなるケースと、第１のケース部材に支軸によりシーソー式（揺動式）に出没自在に収容されたストッパと、ストッパが外方に突出するように付勢するバネと、第２のケース部材に収容され、ストッパと連動して引戸の外側からロック状態を確認することが可能なプレートを備える。このアウトセット引戸錠によれば、ストッパの一端を押すと、他端は第１のケース部材から突出し、端面は縦枠に当接することにより引戸の開閉を制限する。また、ストッパの突出端を押すと、ストッパは第１のケース部材に収納され、引戸が開くことが可能な状態になる。
【０００４】
特許文献３に開示の引き戸のロック装置は、板状形状をした板状体と、板状体の一方の側面側に配置された開閉板と、開閉板を回転させるレバーと、開閉板が配置されている面と直交する板状体の側面側に配置され、一方の側面と対抗する他方の側面側から開閉板との間に引き戸を挟みこむ固定部と、を有する。板状体は、開閉板が配置された方から引き戸と壁の間に通され、開閉板が壁から全て出たところでレバーにより開閉板を回転させる。この引き戸のロック装置によれば、レバーを、レバー用ストッパに接触させてロックを解除し、引き戸のロック装置を取り付けたまま、引き戸を開けて部屋の外に出て、小開閉板（上部小開閉板、中部小開閉板、下部小開閉板）を９０度回転させて、部屋の外から引き戸をロック状態にできる。用のない時には、一度取り外し、使用する時に、取り付けることも可能である。これにより、子供等を部屋の外に出させたくない時や、特定の部屋に入れさせたくない時に、部屋の内外からロックするということが可能となる。
【先行技術文献】
【特許文献】
【０００５】
【特許文献１】実開昭５１−１４１９６号公報
【特許文献２】特開２００６−２９９６７９号公報
【特許文献３】特開２０１３−１５９９５４号公報
【考案の概要】
【考案が解決しようとする課題】
【０００６】
しかしながら、特許文献１の引戸用係止錠、特許文献２のアウトセット引戸錠は、揺動型のロック装置であるため、「押す」という簡易な操作を行うことで解除が可能である。そのため、容易に引戸の開閉を可能とすることとなってしまい、子供の悪戯や、指詰めなどが起きる虞がある。また、特許文献３の引き戸のロック装置は、部屋の内外からロックするということが可能であるので、子供等を部屋の外に出させたくない時等には有効に用いることはできるが、上部小開閉板、中部小開閉板、下部小開閉板等の部品点数が多く、構造が複雑となる問題がある。
【０００７】
また、上記のような簡便なロック装置の他に、鍵を備える例えばロッカーなどに用いられる施解錠装置もあるが、別体の鍵（合鍵）が必要であり、施解錠するには使用者全員が鍵を所持しなければならない。このような施解錠装置は、鍵の管理が必要になるとともに、構造が複雑となって高価なものとなる。
そこで、合鍵を必要とせずに、簡便に戸の閉鎖状態が維持でき、特に家具などの通常使用時に煩雑な操作を要せず、しかも、子供の悪戯等による不用意な開放が防止できるロック装置の開発要請がある。
【０００８】
本考案は上記状況に鑑みてなされたもので、その目的は、簡素な構造で製造でき、子供の悪戯等による不用意な開放が防止でき、既存引戸への後付も容易に行える家具用扉のロック装置を提供することにある。
【課題を解決するための手段】
【０００９】
次に、上記の課題を解決するための手段を、実施の形態に対応する図面を参照して説明する。
本考案の家具用扉のロック装置１１は、引戸１５を厚み方向に貫通して前記引戸１５に取り付けられる外筒部２９と、
前記外筒部２９の内方で保持され軸線４７に沿う方向及び軸線回りで可動自在となって、前記引戸１５が厚み方向で対向する戸枠部、または、召し合わせ部２７において前記引戸１５が対向する他の引戸２５、に穿設される係合穴４９に対して挿脱自在な突出杆３１と、
前記突出杆３１と同軸で一体に形成され前記引戸１５の表面５７に露出される操作部３３と、
前記外筒部２９と前記操作部３３との間に配設され前記突出杆３１を前記係合穴４９から抜脱する方向に付勢する付勢部材３５と、
前記外筒部２９の内周または前記操作部３３の外周の何れか一方に半径方向に延在して設けられるガイドピン３７と、
前記外筒部２９の内周または前記操作部３３の外周の何れか他方に設けられて、少なくとも前記突出杆３１を進退させる方向の進退部６１、及び前記突出杆３１を回転させる方向の回転部６３を有し、前記ガイドピン３７に係合して前記突出杆３１を前記係合穴４９に係合させる位置と前記係合穴４９から離脱した位置とに位置規制するカム溝３９と、
を具備することを特徴とする。
【００１０】
この家具用扉のロック装置１１では、例えば召し合わせ部２７に設けられた場合、引戸１５の表面５７に露出している操作部３３が、外筒部２９に対して押し込まれる。操作部３３が押し込まれると、操作部３３と一体となっている突出杆３１は、付勢部材３５の付勢力に抗して、外筒部２９から突出される。この際、ガイドピン３７と、カム溝３９の進退部６１とは、相対移動する。外筒部２９から突出した突出杆３１は、召し合わせ部２７における他の引戸２５に形成されている係合穴４９に挿入される。この状態で、召し合わせ部２７で重なっている引戸１５は、開放が規制される。操作部３３が回転されると、突出杆３１も同方向に回転する。この回転によって、ガイドピン３７と、カム溝３９の回転部６３とは、円周方向で相対移動する。これにより、ガイドピン３７は、回転部６３に配置される。回転部６３に配置されたガイドピン３７は、付勢部材３５の付勢力によって回転部６３に保持されたままとなり、進退部６１へは移動されない。その結果、突出杆３１は、係合穴４９に挿入された状態に保持される。つまり、引戸１５と、他の引戸２５とは、ロック状態に保たれる。
一方、ロック状態から、操作部３３が逆回転されると、ガイドピン３７と、カム溝３９の回転部６３とは、上記と逆方向に相対移動される。この回転によって、ガイドピン３７は、進退部６１に到達する。ガイドピン３７が進退部６１に到達すると、付勢部材３５の付勢力によって、ガイドピン３７と、カム溝３９の進退部６１とは相対移動する。これにより、突出杆３１は、付勢部材３５の付勢力によって、外筒部２９の内方へ後退する。その結果、突出杆３１は、係合穴４９から抜脱され、引戸１５と、他の引戸２５とは、ロックが解除される。
【００１１】
本考案の家具用扉のロック装置１１は、引戸１５を厚み方向に貫通して前記引戸１５に取り付けられる外筒部２９と、
前記外筒部２９の内方で保持され軸線４７に沿う方向及び軸線回りで可動自在となって、前記引戸１５が厚み方向で対向する戸枠部の端縁部分、または、召し合わせ部２７において前記引戸１５が対向する他の引戸２５の戸尻側となる端縁部分２６、に当接し、該端縁部分２６に対して進退自在な突出杆３１と、
前記突出杆３１と同軸で一体に形成され前記引戸１５の表面５７に露出される操作部３３と、
前記外筒部２９と前記操作部３３との間に配設され前記突出杆３１を前記端縁部分２６から後退する方向に付勢する付勢部材３５と、
前記外筒部２９の内周または前記操作部３３の外周の何れか一方に半径方向に延在して設けられるガイドピン３７と、
前記外筒部２９の内周または前記操作部３３の外周の何れか他方に設けられて、少なくとも前記突出杆３１を進退させる方向の進退部６１、及び前記突出杆３１を回転させる方向の回転部６３を有し、前記ガイドピン３７に係合して前記突出杆３１を前記端縁部分２６に当接させる位置と前記端縁部分２６から離脱した位置とに位置規制するカム溝３９と、
を具備することを特徴とする。
【００１２】
この家具用扉のロック装置１１では、例えば召し合わせ部２７に設けられた場合、引戸１５の表面５７に露出している操作部３３が、外筒部２９に対して押し込まれる。操作部３３が押し込まれると、操作部３３と一体となっている突出杆３１は、付勢部材３５の付勢力に抗して、外筒部２９から突出される。この際、ガイドピン３７と、カム溝３９の進退部６１とは、相対移動する。外筒部２９から突出した突出杆３１は、召し合わせ部２７における他の引戸２５の端縁部分２６に当接可能とされる。この状態で、召し合わせ部２７で重なっている引戸１５は、開放が規制される。操作部３３が回転されると、突出杆３１も同方向に回転する。この回転によって、ガイドピン３７と、カム溝３９の回転部６３とは、円周方向で相対移動する。これにより、ガイドピン３７は、回転部６３に配置される。回転部６３に配置されたガイドピン３７は、付勢部材３５の付勢力によって回転部６３に保持されたままとなり、進退部６１へは移動されない。その結果、突出杆３１は、端縁部分２６に当接された状態に保持される。つまり、引戸１５と、他の引戸２５とは、ロック状態に保たれる。
一方、ロック状態から、操作部３３が逆回転されると、ガイドピン３７と、カム溝３９の回転部６３とは、上記と逆方向に相対移動される。この回転によって、ガイドピン３７は、進退部６１に到達する。ガイドピン３７が進退部６１に到達すると、付勢部材３５の付勢力によって、ガイドピン３７と、カム溝３９の進退部６１とは相対移動する。これにより、突出杆３１は、付勢部材３５の付勢力によって、外筒部２９の内方へ後退する。その結果、突出杆３１は、端縁部分２６から後退され、引戸１５と、他の引戸２５とは、ロックが解除される。
【００１３】
本考案の家具用扉のロック装置６７は、開き戸７３を厚み方向に貫通して前記開き戸７３に取り付けられる外筒部２９と、
前記開き戸７３の戸枠部に設けられる係合部８６（８５）と、
前記外筒部２９の内方で保持され軸線４７に沿う方向及び軸線回りで可動自在となり、軸線４７に直交する方向に延在するロック片７７が設けられて、前記係合部８６（８５）に対して前記ロック片７７が係合または係合解除自在な突出杆３１と、
前記突出杆３１と同軸で一体に形成され前記開き戸７３の表面５７に露出される操作部３３と、
前記外筒部２９と前記操作部３３との間に配設され前記突出杆３１を前記外筒部２９の内方に後退させる方向に付勢する付勢部材３５と、
前記外筒部２９の内周または前記操作部３３の外周の何れか一方に半径方向に延在して設けられるガイドピン３７と、
前記外筒部２９の内周または前記操作部３３の外周の何れか他方に設けられて、少なくとも前記突出杆３１を進退させる方向の進退部６１、及び前記突出杆３１を回転させる方向の回転部６３を有し、前記ガイドピン３７に係合して前記突出杆３１の前記ロック片７７を前記係合部８６（８５）に係合させる位置と前記係合部８６（８５）から離脱した位置とに位置規制するカム溝３９と、
を具備することを特徴とする。
【００１４】
この家具用扉のロック装置６７では、例えば開き戸７３に設けられた場合、開き戸７３の表面５７に露出している操作部３３が、外筒部２９に対して押し込まれる。操作部３３が押し込まれると、操作部３３と一体となっている突出杆３１及びロック片７７は、付勢部材３５の付勢力に抗して、外筒部２９から突出される。この際、ガイドピン３７と、カム溝３９の進退部６１とは、相対移動する。外筒部２９から突出した突出杆３１は、ロック片７７が戸枠部の係合部８６（８５）に、軸線４７に直交する面内で一致する。操作部３３が回転されると、突出杆３１及びロック片７７も同方向に回転し、ロック片７７は、戸枠部の係合部８６（８５）に係合する。この状態で、開き戸７３は、開放が規制される。この回転によって、ガイドピン３７と、カム溝３９の回転部６３とは、円周方向で相対移動する。これにより、ガイドピン３７は、回転部６３に配置される。回転部６３に配置されたガイドピン３７は、付勢部材３５の付勢力によって回転部６３に保持されたままとなり、進退部６１へは移動されない。その結果、ロック片７７は、係合部８６（８５）に係合した状態に保持される。つまり、開き戸７３は、戸枠部に対してロック状態に保たれる。
一方、ロック状態から、操作部３３が逆回転されると、ガイドピン３７と、カム溝３９の回転部６３とは、上記と逆方向に相対移動される。この回転によって、ガイドピン３７は、進退部６１に到達する。ガイドピン３７が進退部６１に到達した回転位置で、ロック片７７は、係合部８６（８５）からの離脱が完了する。その結果、開き戸７３は、戸枠部に対してロックが解除される。ガイドピン３７が進退部６１に到達すると、付勢部材３５の付勢力によって、ガイドピン３７と、カム溝３９の進退部６１とは相対移動する。これにより、突出杆３１は、付勢部材３５の付勢力によって、外筒部２９の内方へ後退する。ロック片７７は、係合部８６（８５）に干渉しない退避位置で保持される。
【００１５】
本考案の家具用扉のロック装置６７は、上記の家具用ロック装置６７であって、
前記係合部が、
前記開き戸７３の戸枠部に凹設される係合溝８５よりなることを特徴とする。
【００１６】
この家具用扉のロック装置６７では、開き戸７３に設けられた場合、開き戸７３の表面５７に露出している操作部３３が、外筒部２９に対して押し込まれる。操作部３３が押し込まれると、操作部３３と一体となっている突出杆３１及びロック片７７は、付勢部材３５の付勢力に抗して、外筒部２９から突出される。この際、ガイドピン３７と、カム溝３９の進退部６１とは、相対移動する。外筒部２９から突出した突出杆３１は、ロック片７７が戸枠部に凹設された係合溝８５に、軸線４７に直交する面内で一致する。操作部３３が回転されると、突出杆３１及びロック片７７も同方向に回転し、ロック片７７は、戸枠部の係合溝８５に係合する。この状態で、開き戸７３は、開放が規制される。この回転によって、ガイドピン３７と、カム溝３９の回転部６３とは、円周方向で相対移動する。これにより、ガイドピン３７は、回転部６３に配置される。回転部６３に配置されたガイドピン３７は、付勢部材３５の付勢力によって回転部６３に保持されたままとなり、進退部６１へは移動されない。その結果、ロック片７７は、係合溝８５に係合した状態に保持される。つまり、開き戸７３は、戸枠部に対してロック状態に保たれる。
一方、ロック状態から、操作部３３が逆回転されると、ガイドピン３７と、カム溝３９の回転部６３とは、上記と逆方向に相対移動される。この回転によって、ガイドピン３７は、進退部６１に到達する。ガイドピン３７が進退部６１に到達した回転位置で、ロック片７７は、係合溝８５からの離脱が完了する。その結果、開き戸７３は、戸枠部に対してロックが解除される。ガイドピン３７が進退部６１に到達すると、付勢部材３５の付勢力によって、ガイドピン３７と、カム溝３９の進退部６１とは相対移動する。これにより、突出杆３１は、付勢部材３５の付勢力によって、外筒部２９の内方へ後退する。ロック片７７は、係合溝８５に干渉しない退避位置で保持される。
【００１７】
本考案の家具用扉のロック装置は、上記の家具用扉のロック装置であって、
前記カム溝３９が、
前記進退部６１と、前記回転部６３と、前記回転部６３の前記進退部６１と反対側に連続して前記進退部６１と平行なロック部６５とによって略コ字状に形成されていることを特徴とする。
【００１８】
この家具用扉のロック装置では、ロック時に、ガイドピン３７と、カム溝３９の回転部６３とが、円周方向で相対移動されると、ガイドピン３７が回転部６３の終端に連続するロック部６５に到達する。ロック部６５に到達したガイドピン３７は、付勢部材３５の付勢力によって、軸線４７に沿う方向でロック部６５を移動する。このロック部６５は、進退部６１と平行に、すなわち回転部６３の両端で同方向に延びるように形成される。このため、ロック部６５に配置されたガイドピン３７は、操作部３３の回転を規制する。ガイドピン３７は、操作部３３が押し込まれ、回転部６３に到達することで、再び回転方向の移動が可能となる。つまり、ロックの解除には、操作部３３の再押し込み操作が必要となる。
【考案の効果】
【００１９】
本考案に係る家具用扉のロック装置によれば、簡素な構造で製造でき、子供の悪戯等による引戸の不用意な開放が防止でき、また、地震などの際に不用意に引戸が開放してしまうことがなく、既存引戸への後付も容易に行える。
【００２０】
本考案に係る家具用扉のロック装置によれば、戸枠部や他の引戸の端縁部分若しくは他の引戸の端縁部分である係合穴に当接若しくは挿入係合されることでロックすることが可能となり、簡素な構造で製造でき、子供の悪戯等による引戸の不用意な開放が防止でき、また、地震などの際に不用意に引戸が開放してしまうことがなく、既存引戸への後付も容易に行える。
【００２１】
本考案に係る請求項３記載の家具用扉のロック装置によれば、簡素な構造で製造でき、子供の悪戯等による開き戸の不用意な開放が防止でき、また、地震などの際に不用意に開き戸が開放してしまうことがなく、既存開き戸への後付も容易に行える。
【００２２】
本考案に係る家具用扉のロック装置によれば、戸枠部に凹設された係合溝にロック片が進入することでロックすることが可能となり、簡素な構造で製造でき、子供の悪戯等による開き戸の不用意な開放が防止でき、また、地震などの際に不用意に開き戸が開放してしまうことがなく、既存開き戸への後付も容易に行える。
【００２３】
本考案に係る家具用扉のロック装置によれば、確実なロック状態を保つことができ、子供の悪戯等によっては容易にロック解除されないようにできる。
【図面の簡単な説明】
【００２４】
【図１】本考案の第１実施形態に係る家具用扉のロック装置が取り付けられた収納用什器の斜視図である。
【図２】図１に示したロック装置の分解斜視図である。
【図３】ロック装置の解除状態の背面斜視図である。
【図４】ロック装置のロック状態の背面斜視図である。
【図５】召し合わせ部に取り付けられたロック装置が解除状態となった動作説明図である。
【図６】召し合わせ部に取り付けられたロック装置が操作中の動作説明図である。
【図７】召し合わせ部に取り付けられたロック装置がロック状態となった動作説明図である。
【図８】他の実施形態におけるロック装置の操作中の動作説明図である。
【図９】他の実施形態におけるロック装置の操作中の動作説明図である。
【図１０】他の実施形態におけるロック装置の操作中の動作説明図である。
【図１１】（ａ）は本考案の第２実施形態に係るロック装置が取り付けられた観音開きの収納什器の斜視図、（ｂ）は本考案の第２実施形態に係るロック装置が取り付けられた片開きの収納什器の斜視図である。
【図１２】図１１に示したロック装置の解除状態の背面斜視図である。
【図１３】図１１に示したロック装置のロック状態の背面斜視図である。
【図１４】（ａ）は底板にロック片が係合するロック装置の解除状態の要部断面図、（ｂ）は底板にロック片が係合するロック装置のロック状態の要部断面図である。
【図１５】側板にロック片が係合するロック装置のロック状態の要部断面図である。
【図１６】インセット扉におけるロック片の係合位置を表す要部断面図である。
【図１７】アウトセット扉におけるロック片の係合位置を表す要部断面図である。
【図１８】他の実施形態における係合部の斜視図である。
【図１９】他の実施形態でのインセット扉におけるロック片の係合位置を表す要部断面図である。
【図２０】他の実施形態でのアウトセット扉におけるロック片の係合位置を表す要部断面図である。
【図２１】（ａ）は操作部端面が平坦面となった変形例に係るロック装置の斜視図、（ｂ）は操作部外周面にローレットが施された変形例に係るロック装置の斜視図である。
【図２２】ガイドピンが外筒部に設けられカム溝が操作部に設けられた変形例に係るロック装置の分解斜視図である。
【図２３】カム溝がレ字状に形成された変形例に係るロック装置の解除状態の要部断面図である。
【図２４】カム溝がレ字状に形成された変形例に係るロック装置のロック状態の要部断面図である。
【考案を実施するための形態】
【００２５】
以下、本考案に係る実施形態を図面を参照して説明する。
図１は本考案の第１実施形態に係る家具用扉のロック装置１１が取り付けられた収納用什器１３の斜視図、図２は図１に示したロック装置１１の分解斜視図、図３はロック装置１１の解除状態の背面斜視図、図４はロック装置１１のロック状態の背面斜視図である。
本実施形態に係る家具用扉のロック装置１１は、家具用である例えば収納用什器１３に取り付けられる。ロック装置１１は、図例の収納用什器１３の他、引戸１５を備える戸棚、食器棚、書棚、キャビネット等に取り付けられてもよい。収納用什器１３は、台輪１７の上方に、側板１９と天板２１とからなる什器本体２３が載置される。什器本体２３の前面は開口部となり、開口部には、左右に引き分けられる一対の引き違い戸（引戸１５と他の引戸２５）が設けられている。図例の収納用什器１３では、上下各段の開口部に、一対の引き違い戸が設けられる。ロック装置１１は、これら引戸１５のそれぞれの召し合わせ部２７に取り付けられる。
【００２６】
ロック装置１１は、外筒部２９と、突出杆３１と、操作部３３と、付勢部材３５と、ガイドピン３７と、カム溝３９と、を有して構成される。
【００２７】
外筒部２９は、引戸１５を厚み方向に貫通して引戸１５に取り付けられる。外筒部２９は、円筒形状に形成され、軸線方向の一端に長円形状の取付板４１が固定される。取付板４１には、外筒部２９の内径より小径に形成され、突出杆３１を挿通する貫通穴４３が穿設される。取付板４１には、外筒部２９を挟んで一対の固定用穴４５が穿設される。ロック装置１１は、取付板４１の固定用穴４５に挿通したネジによって引戸１５に取り付けられる。
【００２８】
図３、図４に示すように、突出杆３１は、外筒部２９の内方で保持され、軸線４７に沿う方向及び軸線回りで可動自在となる。突出杆３１は、引戸１５が厚み方向で対向する戸枠部（図示略）、または、召し合わせ部２７において引戸１５が対向する他の引戸２５、に穿設される係合穴４９に対して挿脱自在となる。つまり、ロック装置１１は、前側の戸（引戸１５）に、本体を組み付け、後側となる反対側の戸（他の引戸２５）に係止する。
本実施形態において、突出杆３１は、召し合わせ部２７における他の引戸２５に穿設される係合穴４９に挿脱される。なお、この突出杆３１の突出側先端には、第２実施形態で述べる複数の係合突起５１が突設される。
【００２９】
操作部３３は、突出杆３１と同軸で一体に形成される。本実施形態において、操作部３３は、突出杆３１よりも大径の円柱状に形成される。操作部３３の端面は、球面状の凹部５３となっている。この凹部５３には板状摘み部５５が突設されている。板状摘み部５５は、引戸１５の表面５７に露出される。操作部３３の外周には、直径方向の両端側となる位置に、ピン固定用穴５９（図２参照）が穿設されている。
【００３０】
付勢部材３５は、外筒部２９と操作部３３との間に配設される。付勢部材３５は、一端が操作部３３に当接し、他端が取付板４１に当接して圧縮された状態で取り付けられている。圧縮された付勢部材３５は、突出杆３１を係合穴４９から抜脱する方向に付勢する。本実施形態において、付勢部材３５には、コイルバネが用いられ、突出杆３１の周囲に配置される。
【００３１】
ガイドピン３７は、外筒部２９の内周または操作部３３の外周の何れか一方に半径方向に延在して設けられる。本実施形態において、ガイドピン３７は、一対で構成され、操作部３３の外周に設けられる。ガイドピン３７は、操作部３３の外周に穿設された上記した一対のピン固定用穴５９のそれぞれに固定される。
【００３２】
カム溝３９は、外筒部２９の内周または操作部３３の外周の何れか他方に設けられる。本実施形態では、カム溝３９は、外筒部２９の内周から外筒部２９を貫通して設けられる。カム溝３９は、少なくとも突出杆３１を進退させる方向の進退部６１、及び突出杆３１を回転させる方向の回転部６３を有する。本実施形態においてのカム溝３９は、これに加えてロック部６５を有する。すなわち、カム溝３９は、軸線方向に平行となる真直な進退部６１と、外筒部２９の周面に沿う回転部６３と、回転部６３の進退部６１と反対側に連続して進退部６１と平行なロック部６５とによって、回転部６３の両端で進退部６１とロック部６５とが同方向に延び、略コ字状に形成され、図２に示すように、外筒部２９に対向配置となるように対となって設けられている。そして、両カム溝３９は、各ガイドピン３７に係合し、突出杆３１を、係合穴４９に係合させる位置（図４に示す位置）と、係合穴４９に対する離脱位置（図３に示す位置）とに位置規制する。  
【００３３】
次に、第１実施形態に係るロック装置１１の作用を説明する。
図５は召し合わせ部２７に取り付けられたロック装置１１が解除状態となった動作説明図、図６は召し合わせ部２７に取り付けられたロック装置１１が操作中の動作説明図、図７は召し合わせ部２７に取り付けられたロック装置１１がロック状態となった動作説明図である。
本実施形態に係る家具用扉のロック装置１１では、例えば図５に示す召し合わせ部２７に設けられた場合、引戸１５の表面５７に露出している操作部３３が、図６に示すように、外筒部２９に対して押し込まれる。操作部３３が押し込まれると、操作部３３と一体となっている突出杆３１は、付勢部材３５の付勢力に抗して、外筒部２９から突出される。
【００３４】
この際、ガイドピン３７と、カム溝３９の進退部６１とは、相対移動する。外筒部２９から突出した突出杆３１は、召し合わせ部２７における後側の他の引戸２５に形成されている係合穴４９に挿入される。この状態で、召し合わせ部２７で重なっている引戸１５は、開放が規制される。操作部３３が回転されると、突出杆３１も同方向に回転する。この回転によって、ガイドピン３７と、カム溝３９の回転部６３とは、円周方向で相対移動する。これにより、ガイドピン３７は、回転部６３に配置される。回転部６３に配置されたガイドピン３７は、付勢部材３５の付勢力によって回転部６３に保持されたままとなり、進退部６１へは移動されない。その結果、突出杆３１は、係合穴４９に挿入された状態に保持される。つまり、引戸１５と、他の引戸２５とは、ロック状態に保たれる。
【００３５】
さらに、本実施形態に係る家具用扉のロック装置１１では、ロック時に、ガイドピン３７と、カム溝３９の回転部６３とが、円周方向で相対移動されると、図７に示すように、ガイドピン３７が回転部６３の終端に連続するロック部６５に到達する。ロック部６５に到達したガイドピン３７は、付勢部材３５の付勢力によって、軸線４７に沿う方向でロック部６５を移動する。このロック部６５は、進退部６１と平行に形成される。このため、ロック部６５に配置されたガイドピン３７は、操作部３３の回転を規制する。
このように、ロック装置１１では、板状摘み部５５を押し込み、回転させる簡易的な操作でロックが完了する。なお、本実施形態では、カム溝３９の回転部６３の長さを、外筒部２９の周方向約１／４の範囲とされ、すなわち、ガイドピン３７との相対移動範囲を９０°として設定される。これにより、操作部３３の回転操作範囲を９０°とすることが可能となり、操作部３３の板状摘み板５５の姿勢を、その操作の両端で垂直な状態と水平な状態とすることができ、例えば垂直な状態ではロック解除状態、水平な状態をロック状態として、板状摘み板５５にてロック装置１１の状態の目視確認が可能となっている。
【００３６】
一方、ロック状態から、操作部３３が逆回転されると、ガイドピン３７と、カム溝３９の回転部６３とは、上記と逆方向に相対移動される。カム溝３９にロック部６５を有する本実施形態では、ガイドピン３７は、操作部３３が押し込まれ、回転部６３に到達することで、再び回転方向の移動が可能となる。つまり、ロックの解除には、操作部３３の再押し込み操作が必要となる。その結果、確実なロック状態を保つことができ、子供の悪戯等によっては容易にロック解除されないようにできる。
【００３７】
この回転によって、ガイドピン３７は、進退部６１に到達する。ガイドピン３７が進退部６１に到達すると、付勢部材３５の付勢力によって、ガイドピン３７と、カム溝３９の進退部６１とは相対移動する。これにより、突出杆３１は、付勢部材３５の付勢力によって、外筒部２９の内方へ後退する。その結果、突出杆３１は、係合穴４９から抜脱され、引戸１５と、他の引戸２５とは、ロックが解除される。
【００３８】
このように、家具用扉のロック装置１１では、鍵（合鍵）を使わずに引き違い戸をロックできる。鍵を不要とするので、鍵の管理を行ったり、鍵を全員が所持する必要がなくなる。このため、ロック装置１１は、簡易ロック、補助ロックを実現させることができる。これにより、地震などの際に、引戸１５が容易に開かない耐震構成を得ることができる。また、戸棚内のものの飛び出しも防止することができる。
ロック装置１１は、押す、回転するという２段階の操作が必要であり、簡易的な操作でありながら、子供の悪戯に対応することができる。また、ロック装置１１は、穴あけ加工のみで、引戸１５に容易に組み付けることができる。このため、既存の収納用什器１３への後付けも可能となる。
【００３９】
なお、上述した第１実施形態では、召し合わせ部２７における他の引戸２５に穿設される係合穴４９に、突出杆３１が挿脱されてロックが行われる例について述べたが、他の引戸２５に係合穴４９を穿設せずに、図８に示すように、他の引戸２５の端縁部分としての戸尻２６に突出杆３１が当接することとしても良い。
すなわち、引戸１５と他の引戸２５との召し合わせ部２７における引戸１５が対向する他の引戸２５の戸尻２６に、突出した突出杆３１の側面が当接することで、引戸１５と他の引戸２５の互いの移動の干渉となり、ロックとする構成となる。
この戸尻２６に突出杆３１が当接する構成例では、上記した係合穴４９のような加工を施す必要が無く、容易にロック構造を実現でき、このことから、既存の収納用什器１３への後付けも容易に可能となる。
【００４０】
さらに、上記した他の引戸２５の端縁部分２６においては、図９、図１０に示すように、係合部材を設けることとしても良い。
この係合部材は、図９に示すようなＬ字状の係合部材２８を、他の引戸２５の裏面側にビスなどで固定し、戸尻２６よりも延出するように配置して、戸尻２６とで矩形に囲むような凹部５０を形成し、この凹部５０内に突出杆３１を進入させるように構成する。
このような構成とすることで、上記したような戸尻２６のみに当接する構成に加え、多重引戸などを構成して、各引戸のそれぞれにロック装置を配設する場合に、引戸のいずれの方向にも突出杆３１と凹部５０とが係合し合うこととなり、互いの引戸同士のロックを行うことが可能となる。同様に、図１０に示すように、係合部材４８をコ字状に形成して、戸尻２６に設けることで、同様の効果を得ることができる。
【００４１】
なお、これら図８、９、１０の各実施形態において、他の引戸２５とした部分は、引戸１５が厚み方向で対向する戸枠部（図示略）であってもよく、戸枠部の端縁部分、すなわち建物開口の縁部に突出杆３１を当接させる実施形態や、この戸枠部の端縁部分に、上記したＬ字形状の係合部材２８やコ字状の係合部材４８を設け、これらに対して突出杆３１を当接させ係合させることとしても良い。
【００４２】
次に、本考案の第２実施形態に係る家具用扉のロック装置６７を説明する。
図１１（ａ）は本考案の第２実施形態に係るロック装置６７が取り付けられた観音開きの収納什器６９の斜視図、（ｂ）は本考案の第２実施形態に係るロック装置６７が取り付けられた片開きの収納什器７１の斜視図、図１２は図１１に示したロック装置６７の解除状態の背面斜視図、図１３は図１１に示したロック装置６７のロック状態の背面斜視図である。なお、第２実施形態において図１〜図７に示した部材と同一の部材には同一の符号を付し、重複する説明は省略する。
本実施形態に係る家具用扉のロック装置６７は、図１１（ａ）に示す観音開きの開き戸７３を有する収納什器６９や、図１１（ｂ）に示す片開きの開き戸７３を有する収納什器７１に取り付けられる。ロック装置６７は、開き戸７３の戸先側に位置し、開き戸７３に設けられた取手７５の近傍に取り付けられる。
【００４３】
ロック装置６７は、図１２、図１３に示すように、突出杆３１に、ロック片７７を備える点が第１実施形態に係るロック装置１１と異なる。他の構成は、第１実施形態に係るロック装置１１と同様である。ロック片７７は、突出杆３１の突出先端に形成された係合突起５１に係合することで回転方向の位置が規制される。係合突起５１は、円周方向に等間隔に４つのものが配置される。それぞれの係合突起５１は、相互間に十字状の係合空間を形成する。この係合空間に、ロック片７７の固定片部７９が係合して回転規制される。ロック片７７は、固定ビス８１によってこの回転が規制された状態で突出杆３１の突出先端に固定される。ロック片７７は、ガイドピン３７が進退部６１とロック部６５との間で回転されることにより、９０°の回転範囲で回転される。
また、閉鎖時での開き戸７３の周縁部分に位置する戸枠部となる側板１９や底板８３には、ロック片７７が進入する係合部としての係合溝８５が凹設される。この係合溝８５は、図１４、図１５に示すように、底板８３や側板１９におけるロック装置６７の近傍に位置し、ロック片７７の移動軌跡上でロック片７７が進入する溝形状に形成される。
【００４４】
次に、第２実施形態に係るロック装置６７の作用を説明する。
図１４（ａ）は底板８３にロック片７７が係合するロック装置６７の解除状態の要部断面図、（ｂ）は底板８３にロック片７７が係合するロック装置６７のロック状態の要部断面図、図１５は側板１９にロック片７７が係合するロック装置６７のロック状態の要部断面図である。
この家具用扉のロック装置１１では、例えば開き戸７３に設けられた場合、開き戸７３の表面５７に露出している操作部３３が、外筒部２９に対して押し込まれる。操作部３３が押し込まれると、操作部３３と一体となっている突出杆３１及びロック片７７は、付勢部材３５の付勢力に抗して、図１３に示すように、外筒部２９から突出される。
【００４５】
この際、ガイドピン３７と、カム溝３９の進退部６１とは、相対移動する。外筒部２９から突出した突出杆３１は、ロック片７７が戸枠部の係合溝８５に、軸線４７に直交する面内で一致する。操作部３３が回転されると、突出杆３１及びロック片７７も同方向に回転し、ロック片７７は、図１４（ｂ）に示す戸枠部の例えば底板８３に形成される係合溝８５に進入する。この状態で、開き戸７３は、開放が規制される。
【００４６】
この回転によって、ガイドピン３７と、カム溝３９の回転部６３とは、円周方向で相対移動する。これにより、ガイドピン３７は、回転部６３に配置される。回転部６３に配置されたガイドピン３７は、付勢部材３５の付勢力によって回転部６３、若しくは上記のロック部６５に保持されたままとなり、進退部６１へは移動されない。その結果、ロック片７７は、係合溝８５に挿入された状態に保持される。つまり、開き戸７３は、戸枠部に対してロック状態に保たれる。
なお、係合溝８５は、上記の底板８３の他、収納什器６９や収納什器７１の図１５に示す側板１９に形成することもできる。この場合、ロック片７７は、係合突起５１によって形成される９０°位相の異なる十字状の係合空間に固定片部７９が固定、すなわち、取り付け向きを変えて固定される。
【００４７】
一方、ロック状態から、操作部３３が逆回転されると、ガイドピン３７と、カム溝３９の回転部６３とは、上記と逆方向に相対移動される。この回転によって、ガイドピン３７は、進退部６１に到達する。ガイドピン３７が進退部６１に到達した回転位置で、ロック片７７は、図１４（ａ）に示す位置となり、係合溝８５からの離脱が完了する。その結果、開き戸７３は、戸枠部に対してロックが解除される。ガイドピン３７が進退部６１に到達すると、付勢部材３５の付勢力によって、ガイドピン３７と、カム溝３９の進退部６１とは相対移動する。これにより、突出杆３１は、付勢部材３５の付勢力によって、図１２に示すように、外筒部２９の内方へ後退する。ロック片７７は、係合溝８５に干渉しない退避位置で保持される。
このように、第２実施形態のロック装置６７は、突出杆３１にロック片７７を追加するのみの簡素な構造で製造でき、そして、子供の悪戯等による不用意な開放を防止でき、既存開き戸への後付も容易に行える。
【００４８】
以下に、ロック装置の種々の変形例を説明する。
図１６はインセット扉８７におけるロック片７７の係合位置を表す要部断面図、図１７はアウトセット扉８９におけるロック片７７の係合位置を表す要部断面図である。なお、以下の各変形例において図１〜図１５に示した部材と同一の部材には同一の符号を付し、重複する説明は省略する。
第２実施形態に係るロック装置６７は、図１６に示すインセット扉８７、または図１７に示すアウトセット扉８９に取り付けることができる。インセット扉８７は、側板１９の木口である側板端面９１とインセット扉８７の表面５７とが面一となる。アウトセット扉８９は、木口である側板端面９１に、アウトセット扉８９の裏面９３が当接する。
従って、ロック装置１１は、インセット扉８７よりも、アウトセット扉８９に取り付けられる場合の方が、係合溝８５が側板端面９１に近接して形成される。
【００４９】
このように、ロック装置６７は、係合溝８５の位置を変更するのみで、インセット扉８７、アウトセット扉８９の双方に取り付けることができる。
【００５０】
また、上記した開き戸７３での各実施形態では、ロック装置６７のロック片７７が進入し係合する係合溝８５を、戸枠部の底板８３や側板１９に凹設する例とし、すなわち、係合溝８５を係合部とした例について述べたが、この係合部としては、図１８に示すようなＬ字形状の部材を係合部８６として構成することとしてもよい。
このＬ字状の係合部８６は、一方の板部に取付穴８６ａが穿設されており、この取付穴８６ａにてビス９０を用い、戸枠部である側板１９や底板８３に固定する。図１９に示すインセット扉８７や図２０に示すアウトセット扉８９のように、側板１９に係合部８６を取り付ける場合は、側板１９の内面２０に係合部８６が固定され、内面２０に対して他方の板部が突出するように設けられる。そして、この係合部８６に対してロック装置６７のロック片７７が係合する。
このＬ字状の係合部８６によれば、上述した係合溝８５を十分な深さとして凹設することができない厚みの小さい側板１９や底板８３に設けることが可能となる。また、係合溝８５を例えば切削などの工程で凹設する場合に比べ、ビス止めで良いことから容易に設けることが可能となる。
【００５１】
さらに、上記したＬ字状の係合部８６に換えて、例えば開き戸７３の閉鎖を保持する構成、所謂キャッチ部材を兼用させることも可能である。キャッチ部材としては、マグネットキャッチやローラーキャッチ、ボールキャッチなど開き戸７３を閉じた際に側板１９などの戸枠部と開き戸７３との間に亘って設けられるものであり、戸枠部側には開き戸７３に向かって突出して設けられることになることから、その突出する部分を係合部として、この係合部に対してロック装置６７のロック片７７が係合することとすればよい。このようなキャッチ部材とロック片７７とで、開き戸７３は、仮閉鎖とロック状態との２つの閉鎖状態を行うことが可能となる。
【００５２】
図２１（ａ）は操作部端面９５が平坦面となった変形例に係るロック装置９７の斜視図、（ｂ）は操作部外周面にローレット９９が施された変形例に係るロック装置１０１の斜視図である。
図２１（ａ）に示すロック装置９７は、操作部端面９５が平坦面の円柱状に形成される。操作部端面９５には、回転向きを示す三角印等のマーク１０３が設けられてもよい。この他、「開」「閉」の文字などをマークとして、扉表面側に設けることとしてもよい。ロック装置９７は、上記の板状摘み部５５を廃止し、操作部３３の加工を容易にすることで、製造コストを安価にでき、また意匠性も図ることができる。
【００５３】
図２１（ｂ）に示すロック装置１０１は、操作部外周面にローレット９９が施されている。ロック装置１０１は、ローレット９９によって手指の滑りを生じ難くし、操作性を向上させることができる。
【００５４】
図２２はガイドピン３７が外筒部１０５に設けられカム溝３９が操作部１０７に設けられた変形例に係るロック装置１０９の分解斜視図である。
第１、第２実施形態では、ガイドピン３７が操作部３３に設けられ、カム溝３９が外筒部２９に設けられていたが、これらガイドピン３７及びカム溝３９は、逆に設けられてもよい。すなわち、この変形例に係るロック装置１０９は、外筒部１０５にガイドピン３７が突設され、操作部１０７の外周にカム溝３９が形成されている。ガイドピン３７とカム溝３９とによる突出杆３１に対する作用は、上記した作用と同様である。
【００５５】
このロック装置１０９によれば、カム溝３９を外筒部１０５によって覆うことができるので、カム溝３９に異物や塵埃等が侵入することによる操作性の低下を抑制することができ、また、引戸１５や開き戸７３への組み付け時の作業性を向上できる。
【００５６】
図２３はカム溝１１１がレ字状に形成された変形例に係るロック装置１１３の解除状態の要部断面図、図２４はカム溝１１１がレ字状に形成された変形例に係るロック装置１１３のロック状態の要部断面図である。
第１、第２実施形態では、カム溝３９が、進退部６１と、回転部６３と、ロック部６５と、から構成され略コ字状に形成されたが、カム溝１１１は、レ字状に形成されてもよい。すなわち、レ字状のカム溝１１１は、ロック部６５が省略されている。その代わりに、回転部１１５が終端に向かって操作部３３に接近する方向に傾斜して形成されている。ガイドピン３７は、付勢部材３５によって付勢されると、回転部１１５の傾斜によって、回転部１１５の終端方向に移動されることとなる。ガイドピン３７は、回転部１１５の終端に移動されると、傾斜によって、逆回転し難く、すなわち解除方向に回転し難くなる。つまり、回転部１１５は、上記の回転部６３とロック部６５との双方の作用を有することとなる。
【００５７】
この変形例に係るロック装置１１３によれば、簡単な形状のカム溝１１１によって、ロック状態を保つことができ、解除の際には、押し込みながら回転させる操作となり、子供の悪戯等によっては容易にロック解除されないようにできる。
【００５８】
従って、本実施形態に係る家具用扉のロック装置１１，６７，９７，１０１，１０９，１１３によれば、簡素な構造で製作することができ、子供の悪戯等による不用意な開放が防止でき、或いは地震などの外力による開放が防止でき、既存の引戸や開き戸への後付も容易に行える。
【符号の説明】
【００５９】
１１，６７，９７，１０１，１０９，１１３…ロック装置
１５…引戸
２６…端縁部分（戸尻）
２７…召し合わせ部
２９…外筒部
３１…突出杆
３３…操作部
３５…付勢部材
３７…ガイドピン
３９…カム溝
４７…軸線
４９…係合穴
５７…表面
６１…進退部
６３…回転部
６５…ロック部
７３…開き戸
７７…ロック片
８５…係合部（係合溝）
８６…係合部
【図１】
0003214730.tif 000003
【図２】
0003214730.tif 000004
【図３】
0003214730.tif 000005
【図４】
0003214730.tif 000006
【図５】
0003214730.tif 000007
【図６】
0003214730.tif 000008
【図７】
0003214730.tif 000009
【図８】
0003214730.tif 000010
【図９】
0003214730.tif 000011
【図１０】
0003214730.tif 000012
【図１１】
0003214730.tif 000013
【図１２】
0003214730.tif 000014
【図１３】
0003214730.tif 000015
【図１４】
0003214730.tif 000016
【図１５】
0003214730.tif 000017
【図１６】
0003214730.tif 000018
【図１７】
0003214730.tif 000019
【図１８】
0003214730.tif 000020
【図１９】
0003214730.tif 000021
【図２０】
0003214730.tif 000022
【図２１】
0003214730.tif 000023
【図２２】
0003214730.tif 000024
【図２３】
0003214730.tif 000025
【図２４】
0003214730.tif 000026